(57)【要約】【課題】  施工が容易で且つ防犯に優れた面格子を提供する。【解決手段】  本発明の面格子１において、受けブラケット５の躯体取付部１５は受けブラケット固定ねじ７で屋外側から躯体２９にねじ止めしてあり、押さえブラケット９は、受けブラケット５の躯体取付部１５に屋外側から重なる重合部３１と、受けブラケットの持ち出し部１７に沿う持ち出し部３３とを有し、重合部３１には受けブラケット固定ねじ７のねじ頭部挿通孔３５ａとねじ回し防止部３９とが設けてあり、受けブラケット５の持ち出し部７と押さえブラケット９の持ち出し部３３とで桟材１３の把持部５１を形成しており且つ受けブラケット５と押さえブラケット９とは分離不能に相互に固定している。【選択図】      図１
2005232765.tif 000002
【特許請求の範囲】
【請求項１】
格子体と、格子体の桟材を受ける受けブラケットと、受けブラケット固定ねじと、押さえブラケットとを備え、受けブラケットは躯体取付部と持ち出し部とを有し、躯体取付部は受けブラケット固定ねじで屋外側から躯体にねじ止めしてあり、押さえブラケットは、受けブラケットの躯体取付部に屋外側から重なる重合部と、受けブラケットの持ち出し部に沿う持ち出し部とを有し、重合部には受けブラケット固定ねじのねじ頭部挿通孔とねじ回し防止部とが設けてあり、受けブラケットの持ち出し部と押さえブラケットの持ち出し部とで桟材の把持部を形成しており且つ受けブラケットと押さえブラケットとは分離不能に相互に固定してあることを特徴とする面格子。
【発明の詳細な説明】
【技術分野】
【０００１】
本発明は、面格子に関する。
【背景技術】
【０００２】
特許文献１には、室外側から止めたねじで一方のブラケットを躯体に固定し、室内側から止めたねじで他方のブラケットを格子体に固定し、一方のブラケットと他方のブラケットとを分離不能に相互に固定すると共に、一方のブラケットを躯体に固定するねじに対してねじ回し防止部を設けた面格子が開示されている。
【０００３】
【特許文献１】特開２００３−１２０１４６号公報
【発明の開示】
【発明が解決しようとする課題】
【０００４】
しかし、上述の従来技術では、躯体と格子体とのそれぞれにブラケットをねじで固定しているので、施工に手間がかかるという問題がある。
【０００５】
そこで、本発明は、施工が容易で且つ防犯に優れた面格子の提供を目的とする。
【課題を解決するための手段】
【０００６】
請求項１に記載の発明は、格子体と、格子体の桟材を受ける受けブラケットと、受けブラケット固定ねじと、押さえブラケットとを備え、受けブラケットは躯体取付部と持ち出し部とを有し、躯体取付部は受けブラケット固定ねじで屋外側から躯体にねじ止めしてあり、押さえブラケットは、受けブラケットの躯体取付部に屋外側から重なる重合部と、受けブラケットの持ち出し部に沿う持ち出し部とを有し、重合部には受けブラケット固定ねじのねじ頭部挿通孔とねじ回し防止部とが設けてあり、受けブラケットの持ち出し部と押さえブラケットの持ち出し部とで桟材の把持部を形成しており且つ受けブラケットと押さえブラケットとは分離不能に相互に固定してあることを特徴とする。
【発明の効果】
【０００７】
請求項１に記載の発明によれば、面格子の施工は、受けブラットの躯体取付部を受けブラケット固定ねじで躯体に固定し、押さえブラケットの重合部を受けブラケットの躯体取付部に室外側から重ねると共に受けブラケットの持ち出し部と押さえブラケットの持ち出し部で格子体の桟材を把持し、受けブラケットと押さえブラケットとを相互に分離不能に固定する。
したがって、格子体の桟材を受けブラケットと押さえブラケットで把持し、従来技術のように格子体とブラケットをねじ固定しないので、施工が容易にできる。
一方のブラケットを躯体に固定する受けブラケット固定ねじは、他方のブラケットの重合部に設けたねじ回し防止部によりねじの取り外し操作が防止されているので、防犯性に優れる。
【発明を実施するための最良の形態】
【０００８】
以下に、添付図面を参照して本発明の実施の形態を詳細に説明する。図１は図２に示すＡ部の分解斜視図であり、図２は図４に示すＢ−Ｂ断面図であり、図３は図４に示すＣ−Ｃ断面図であり、図４は本実施の形態にかかる面格子の正面図である。
本実施の形態にかかる面格子１は、格子体３と、受けブラケット５と、受けブラケット固定ねじ７と、押さえブラケット９とを備えている。
格子体３はサッシ１１の室外側に取り付けてあり、上下に桟材（横桟）１３が設けられている。
受けブラケット５は、躯体取付部１５と持ち出し部１７とを有し、持ち出し部１７は躯体取付部１５から室外側に向けて突設しており、持ち出し部１７の室外側先端部には桟材１３の受け部１９が設けられている。躯体取付部１５には、ねじ挿通孔２１、２３が上下に二箇所形成されており、上側のねじ挿通孔２１は丸孔であり、下側のねじ挿通孔は上下に長い長孔になっておりねじ２３の取付位置を上下に調節ができるようになっている。持ち出し部１７には上部１７ａにねじ孔２５、２５が、側部１７ｂにねじ孔２７が形成されている。受け部１９は持ち出し部１７に形成された凹部であり、この凹部に格子体３の桟材１３が載置されている。
受けブラケット固定ねじ７は、受けブラケット５の躯体取付部１５に室外側からねじ込んで躯体２９に固定している。受けブラケット固定ねじ７はコーチねじであり、レンチ等の治具で締め付けたり緩めたりするようになっている。
躯体２９は本実施の形態ではサッシ枠である。
押さえブラケット９は重合部３１と持ち出し部３３とを有しており、重合部３１は受けブラケット５の躯体取付部１５に屋外側から重ねて配置してあり、ねじ頭部挿通孔３５ａ、３５ｂとねじ回し防止部３９とが設けられている。ねじ頭部挿通孔３５ａ、３５ｂは受けブラケット固定ねじ７に対応して上下に設けてあり、それぞれ受けブラケット固定ねじ７の頭部を挿通している。ねじ頭部挿通孔３５ａ、３５ｂは、重合部３１のねじ挿通孔２１、２３と同様に上側のねじ頭部挿通孔３５ａは丸孔であり、下側のねじ頭部挿通孔３５ｂは上下に長孔になっている。
ねじ回し防止部３９は、各ねじ頭部挿通孔３５ａ、３５ｂの縁部に設け且つねじ頭部に対向して設けたリブであり、ねじ頭部の外周にスパナ等の治具が挿入されるのを阻止している。
押さえブラケット９の持ち出し部３３は、受けブラケット５の持ち出し部に沿って設けてあり、上部３３ａにねじ挿通孔孔４１、４１が、側部３３ｂにねじ挿通孔４３が形成されている。押さえブラケット９の持ち出し部３３は受けブラケット５の持ち出し部１７に重ねて配置してあり、ねじ４５、４７により受けブラケット５の持ち出し部１７に固定されている。各ねじ４５、４７はそれぞれねじを締め付け方向にのみ回転できる一方向ねじである。
押さえブラケット９の持ち出し部３３の先端部には、受けブラケット５の受け部１９に対応した押さえ部４９が形成されている。押さえ部４９は凹部であり、受けブラケット５の持ち出し部１７に形成された受け部１９と押さえブラケット９の持ち出し部３３に形成された押さえ部４９とで格子体５の桟材１３を把持する把持部５１を形成している。
【０００９】
次に、本実施の形態にかかる面格子１の施工及び作用効果について説明する。
面格子１の施工は、受けブラット５の躯体取付部１５を受けブラケット固定ねじ７で躯体２９に固定する。受けブラケット５は、本実施の形態では合計４箇所でそれぞれ躯体２９に固定する。
次に、格子体３の上下の桟材１３、１３をそれぞれ受けブラケット５の受け部１９に載置し、各受けブラケット５に押さえブラケット９を取り付ける。
各押さえブラケット９の取り付けは、押さえブラケット９の重合部３１を受けブラケット５の躯体取付部１５に室外側から重ねると共に、押さえブラケット９の持ち出し部３３を受けブラケット５の持ち出し部１７に重ね合わせ、同時に受けブラケットの受け部１９に押さえブラケット９の押さえ部４９を合わせて、格子体３の桟材１３を受け部１９と押さえ部４９とで形成した把持部５１により把持する。
そして、受け部ラケット５の持ち出し部１７と押さえブラケット９の持ち出し部３３とをそれぞれ一方向ねじ４５、４７で分離不可能に固定する。
本実施の形態によれば、格子体３の桟材１３を受けブラケット５と押さえブラケット９で把持し、従来技術のように格子体３とブラケットをねじ固定しないので、施工が容易にできる。
また、本実施の形態では、面格子１の施工は、受け部ラケット５に格子体３の桟材１３を載置したまま押さえブラケット９の固定ができ、施工時に格子体３を作業者が支えることなく取り付け作業ができるので、作業性が良い。
受けブラケット５を躯体２９に固定する受けブラケット固定ねじ７は、押さえブラケット９の重合部３１に設けたねじ回し防止部３９によりねじ回し操作が防止されているので、防犯性に優れる。
【００１０】
本発明は、上述した実施の形態に限らず、本発明の要旨を逸脱しない範囲で種々変形可能である。
例えば、ねじ回し防止部３９は、受け部ラケット固定ねじ７の頭を覆って隠すものであてもよい。この場合には、受けブラケット固定ねじ７はコーチねじに限らず、ドライバーの係止溝を設けたものを用いてもよい。
受けブラケット５の持ち出し部１７と押さえブラケット９の持ち出し部３３とで形成する把持部５１は格子体３の縦桟材を把持するものであってもよい。
受けブラケット固定ねじ７は、複数設けることに限らず、一つでもよい。
受けブラケット５と押さえブラケット９とは、一方向ねじ４５、４７により分離不能に固定することに限らず、カシメにより分離不能に固定してもよい。
【図面の簡単な説明】
【００１１】
【図１】図２に示すＡ部の分解斜視図である。
【図２】図４に示すＢ−Ｂ断面図である。
【図３】図４に示すＣ−Ｃ断面図である。
【図４】本実施の形態にかかる面格子の正面図である。
【符号の説明】
【００１２】
１      面格子
３      格子体
５      受けブラケット
７      受けブラケット固定ねじ
９      押さえブラケット
１３    桟材
１５    躯体取付部
１７    持ち出し部
２９    躯体
３１    重合部
３３    持ち出し部
３５ａ  ねじ頭部挿通孔
３９    ねじ回し防止部
５１    把持部
【図１】
2005232765.tif 000003
【図２】
2005232765.tif 000004
【図３】
2005232765.tif 000005
【図４】
2005232765.tif 000006